【手続補正書】
【提出日】平成16年9月15日(2004.9.15)
【手続補正１】
【補正対象書類名】明細書
【補正対象項目名】全文
【補正方法】変更
【補正の内容】
【書類名】      明細書
【発明の名称】  無線端末
【特許請求の範囲】
【請求項１】  基地局と信号を送受信する無線回路部と、
文字情報を入力する文字情報入力部と、
この文字情報入力部から入力された文字情報を点字として表示する点字表示部と、
この点字表示部に表示される情報を記録するメモリと、
前記文字情報入力部から入力された文字情報を前記点字表示部に表示される点字に変換する点字変換部と、
前記メモリに記録された情報を読出して前記点字表示部に表示させるように制御を行なうとともに、前記文字情報入力部から入力されて前記点字表示部に表示された情報を、外部からの指示により前記無線回路部より前記基地局に送信する制御部とを設けたことを特徴とする、無線端末。
【請求項２】  前記文字情報入力部から入力されて前記点字表示部に表示された情報は発呼番号であり、制御部は、前記発呼番号に基づいて発呼処理を行なうように無線回路部を制御することを特徴とする、請求項１に記載の無線端末。
【請求項３】  前記制御部は、前記メモリから読出された電話番号を前記点字表示部に表示させ、表示された前記電話番号に基づいて発呼処理を行なうように前記無線回路部を制御することを特徴とする、請求項１に記載の無線端末。
【請求項４】  前記制御部は、前記無線回路部が前記基地局から受信した画像情報を前記点字表示部に点字画像として表示させることを特徴とする、請求項１に記載の無線端末。
【請求項５】  前記制御部は、前記無線回路部が前記基地局に送信する画像情報を前記点字表示部に点字画像として表示させることを特徴とする、請求項１に記載の無線端末。
【発明の詳細な説明】
【０００１】
【発明の属する技術分野】
本発明は、携帯電話機等に代表されるデータ通信機能を有する無線端末に関し、特に、目の不自由な使用者にも送受信するデータを認識できるような表示機能を有する無線端末に関するものである。
【０００２】
【従来の技術】
一般に、従来より、無線機は、図４（ａ）に示すように、電話回線１４を利用する通信機能を有している。また、従来の無線機４は、図４（ｂ）に示すように、前面に受話器５、送話器８、キー７、表示器６、ブザー９などが設けられている。さらに、無線機４は、収納や持ち運びのための小型化されてお、基地局１３との通信のための十分な利得保持機能を有している。
【０００３】
また、従来の無線機は、アンテナ１が、無線回路部を介して内部の送話回路、受話回路などの各種回路部に電気的に接続されている。そして、アンテナは、樹脂筐体に支持されている。この樹脂筐体に金属筐体が覆われている。
【０００４】
次に、従来の無線機の動作について説明する。使用者は、無線機４からの発呼時、キー（キーボード）７から電話番号を入力する発呼動作を行ない、基地局１３と発呼処理のための通信を行なった後、電話回線１４を介して通話相手の無線端末と通信接続され、通話可能な状態になる。
【０００５】
また、基地局１３からの着呼時、着信を知らせるブザー９の鳴動などの着呼動作後、基地局１３と着呼処理のための通信を行なった後、電話回線１４を介して通話相手の無線端末と通信接続され、通話可能な状態になる。
【０００６】
しかしながら、従来の無線機４では、盲人が利用するのには、非常に困難なものであった。
【０００７】
そこで、盲人が利用するために、特開平４−３７３２３６号公報に記載の点字電灯付き節電話機が開発されたが、この電話機は、電話機のテンキー部に点字表示を備えており、数字の入力に対しては盲人でも使えるようになっている。
【０００８】
また、特開平５−１７６０２５号公報に記載の電話システムでは、視聴覚障害者が通話を行なう際に、点字により情報を入力し、点字により入力された情報を音声に変換し公衆回線へ出力することにより、盲人でも電話機能を使用することが可能となっている。
【０００９】
【発明が解決しようとする課題】
今日の携帯電話などでは、使用者は、文字や画像を使用したデータ通信を行なう際、必要な文字入力動作をキー７により行ない、基地局１３と通信を行なった後、受信した文字情報や画像情報などが表示器６に表示されるものが一般的に使用されるようになっている。
【００１０】
しかしながら、従来の無線機４では、目の不自由な利用者が使用する場合に、表示器６に表示された情報を認識することができず、特に、文字情報や画像情報などのデータ通信サービスを利用することが困難であるという欠点があった。
【００１１】
本発明は、上述のような問題に鑑みてなされたものであり、その目的は、目の不自由な使用者でも文字情報や画像情報などのサービスを利用できる無線機を提供することである。
【００１２】
【課題を解決するための手段】
本発明の無線端末は、基地局と信号を送受信する無線回路部と、文字情報を入力する文字情報入力部と、この文字情報入力部から入力された文字情報を点字として表示する点字表示部と、この点字表示部に表示される情報を記録するメモリと、文字情報入力部から入力された文字情報を点字表示部に表示される点字に変換する点字変換部と、メモリに記録された情報を読出して点字表示部に表示させるように制御を行なうとともに、文字情報入力部から入力されて点字表示部に表示された情報を、外部からの指示により無線回路部より基地局に送信する制御部とが設けられている。
【００１３】
また、本発明の無線端末は、文字情報入力部から入力された点字表示部に表示された情報が発呼番号であり、制御部は、発呼番号に基づいて発呼処理を行なうように無線回路部を制御するものであってもよい。
【００１４】
また、制御部は、メモリから読出された電話番号を点字表示部に表示させ、表示された電話番号に基づいて発呼処理を行なうように無線回路部を制御するものであってもよい。
【００１５】
また、制御部は、無線回路部が基地局から受信した画像情報を点字表示部に点字画像として表示させるものであってもよい。
【００１６】
また、制御部は、無線回路部が基地局に送信する画像情報を点字表示部に点字画像として表示させるものであってもよい。
【００１７】
【発明の実施の形態】
次に、本発明の実施の形態を図に基づいて説明する。
【００１８】
（実施の形態１）
図１は、本発明の実施の形態１の無線機の正面図である。
【００１９】
無線機４は、図４（ａ）に示す従来の技術と同様に、アンテナ１と通信相手の基地局３１との間で高周波の電波を送信または受信する。無線機４の内部では、図３に示すように、アンテナ１が無線回線部１０と電気的に接続されている。この無線回線部１０とロジック制御部１２とは電気的に接続され、筐体内に収納されている。無線回路部１０は、送信電波となる送信信号を生成し、また、受信電波から受信信号を受ける。また、ロジック制御部１２は、受話部５、送話部８、入力部７に電気的に接続されるとともに、点字変換部１１を介して点字表示部２と電気的に接続されている。そして、無線機４の使用者は、受話部５からの音を聞き、入力部７から制御信号を入力し、また、送話部８から音声を入力する。
【００２０】
使用者が文字を使用したメールなどのデータ通信を行なう際、必要な文字入力動作をキー７から行ない、ロジック制御部１２の制御により点字変換部１１で点字に変換され、点字表示部２に表示された点字の内容を使用者が確認した後、基地局１３を介して相手側へ通信する。また、受信した文字情報は、同様に点字変換され、点字として表示器２に表示される。使用者は、この表示器２に触れることにより、受信した文字情報を認識する。電話番号を点字で表示し、その電話番号を触診で確認してからその電話番号を発呼してもよい。また、入力時に電話番号をメモリ（図示せず）から読出して表示器２に点字表示してもよい。さらに、キー７の操作によりメモリ（図示せず）に記憶された文字情報を読出して表示器２に点字表示してもよい。
【００２１】
これにより、目の不自由な人が、電話番号を認識し、誤りなく電話をかけることができる。また、メールの送受信を行なうことができるとともに、サイトのコンテンツの閲覧ができる。
【００２２】
なお、本実施の形態の無線機の開発のきっかけとなった技術であるＮＨＫ技研より報告されている技術を以下に示す。ＮＨＫ技研報告の内容では、自動的触知による新しい点字伝達方式−文字放送点字伝達装置の試作−映像情報メディア学会誌，Ｖｏｌ，５２，Ｎｏ，４，ｐｐ．５１２？５１９（１９９８）において、坂井忠裕、石原達哉、牧野英二、近藤悟、関口卓司による点字表示機能に関する技術が発行されている。
【００２３】
この文献には、マルチメディア時代には多用な情報を（誰もが）享受できることが重要であることに鑑み、視聴覚者や盲ろう者に電子文字情報を伝える新しい点字情報伝達装置が開示されている。その文献によれば、点字の認識率を最適とする刺激呈示条件を得ることを目的にした方式として、点字の６点を６本の指の指腹に分散して呈示する「６指１文字」方式を提案している。そして、この方式で評価試験を行なった結果、９０％以上の高い認識率が得られ、認識率は「なぞる」感覚などとなる仮現運動を生ずる条件で最も高いことが分かっている。また、評価実験から得られた呈示条件に基づき、文字放送点字伝達装置が試作されている。その装置は、感覚の順応や疲労を考慮して、点字データ列の呈示は１字ごとに無刺激期間を有する間欠刺激として与えることが可能であり、点字の熟練度に応じて選択できる２つの解読モードを備えており、点字呈示部と入力キーを一体化することでアクセス性の向上が図られている。そして、この点字技術を導入して、上記本実施の形態の無線機の表示部を構成するようにした。
【００２４】
（実施の形態２）
図２は、実施の形態２の無線機を示す図である。
【００２５】
使用者が画像を使用したデータ通信を行なう際必要な文字入力動作をキー７から行ない、基地局１３と通信を行なった後、受信した画像を画面上に多数の点の凹凸で表示可能な表示器３に表示させる。使用者は、この表示器３に触れることにより、受信した画像情報を認識する。また、画像を送信する場合にも、その画像情報を点字表示し、使用者が表示器２において送信する画像情報を指で触って確認してから送信するようにしてもよい。
【００２６】
なお、本発明は、以下のようなものであってもよい。
【００２７】
本発明の無線端末は、通信機能として文字情報を受信可能な無線端末であって、受信した文字情報が点字として表示される表示器を備えている。
【００２８】
上記の構成によれば、目の不自由な使用者でも、この表示器に触れることにより、受信した文字情報を認識し理解することができる。
【００２９】
本発明の無線端末は、通信機能として文字情報を送信可能な無線端末であって、送信する文字情報が点字表示される表示器を備えている。
【００３０】
上記の構成によれば、目の不自由な使用者でも、この表示器に触れることにより、送信する文字情報を認識して確認してから送信することができる。
【００３１】
本発明の無線端末は、通信機能として画像情報を受信可能な無線端末であって、受信した画像情報が多数の点の凹凸で表示される表示器を備えている。
【００３２】
上記の構成によれば、目の不自由な使用者でも、この表示器に触れることにより、受信した画像情報を認識し理解することができる。
【００３３】
本発明の無線端末は、通信機能として画像情報を送信可能な無線端末であって、送信する画像情報が多数の点の凹凸で表示される表示器を備えている。
【００３４】
上記の構成によれば、目の不自由な使用者でも、この表示器に触れることにより、送信する画像情報を確認してから送信することができる。
【００３５】
本発明の無線端末は、文字情報を処理可能な無線端末であって、文字情報を入力可能な入力手段と、入力手段により入力された文字情報が点字表示される表示器とを備えている。
【００３６】
上記の構成によれば、目の不自由な使用者でも、表示器に触れることにより、入力手段で入力した文字情報を確認することができる。
【００３７】
本発明の無線端末は、文字情報を処理可能な無線端末であって、文字情報を記憶する記憶手段と、記憶手段に記憶された文字情報を点字表示可能な表示器とを備えている。
【００３８】
上記の構成によれば、目の不自由な使用者でも、出力手段を操作して、文字情報を点字として出力する表示器に触れることにより、記憶手段に記憶されている文字情報を確認することができる。
【００３９】
【発明の効果】
以上説明したように、本発明の無線端末によれば、受信した文字情報が点字として表示される表示器を備える構成にしたので、目の不自由な使用者でも、この表示器に触れることにより、受信した文字情報を認識し理解することができる。
【００４０】
本発明の無線端末によれば、目の不自由な使用者でも、この表示器に触れることにより、送信する文字情報を確認してから送信することができる。
【００４１】
また、本発明の無線端末によれば、受信した画像情報を画面上に多数の点の凹凸で表示させる表示器を備える構成にしたので、目の不自由な使用者でも、この表示器に触れることにより、受信した画像情報を認識し理解することができる。
【００４２】
本発明の無線端末によれば、目の不自由な使用者でも、この表示器に触れることにより、送信する画像情報を確認してから送信することができる。
【図面の簡単な説明】
【図１】  実施の形態の無線機の正面図である。
【図２】  実施の形態の無線機の内部構成を示す構成図である。
【図３】  実施の形態の無線機を示す正面図である。
【図４】  （ａ）および（ｂ）は、従来の技術を示す無線機のシステム構成図である。
【符号の説明】
１  アンテナ、２  表示器（点字表示可能）、３  表示器（点画像が表示可能）、４  無線機、５  受話器、６  表示器、７  キー、８  送話器、９  ブザー、１０  無線回路部、１３  基地局、１４  電話回線。